(57)【要約】【課題】水洗トイレその他の水槽内に取り付けられ、水槽内に定期的に薬液を分配する薬液分配装置であって、下方に開口する有底筒状の装置本体の内部の下端から所定の高さに、薬剤を載置保持する薬剤保持部を設けると共に、一端が薬剤保持部より上方位置であって装置本体の内側に向かって開口し、下端が装置本体の外側であって装置本体の下端より上方に位置するパイプ状の吸水通路部を備え、装置本体内の水位低下に伴って吸水通路部内の水が薬剤保持部の上面に吸い上げられ、その水に薬剤が溶け込んだ薬液を薬剤保持部の下方に滴下する滴下口を形成し、かつ装置本体上部に、装置本体内の空気の外部方向への放出を許可する逆止弁手段を形成したものを提案したが、逆止弁手段に水などがかかると逆止弁手段が正常に機能しない場合が生じる。【解決手段】逆止弁手段に水などがかからないようにカバーを取り付けた。【選択図】  図４
2008013946.tif 000002
【特許請求の範囲】
【請求項１】
水洗トイレその他の水槽内に取り付けられ、水槽内に定期的に薬液を分配する薬液分配装置であって、下方に開口する有底筒状の装置本体を備え、この装置本体の内部であって、下端の開口から所定の高さに、薬剤を載置保持する薬剤保持部を設けると共に、一端が薬剤保持部より上方位置であって装置本体の内側に向かって開口し、下端が装置本体の外側であって装置本体の下端より上方に位置するパイプ状の吸水通路部を備え、装置本体内の水位低下に伴って吸水通路部内の水が薬剤保持部の上面に吸い上げられ、その水に薬剤が溶け込んだ薬液を薬剤保持部の下方に滴下する滴下口を形成し、かつ装置本体上部に、装置本体内の空気の外部方向への放出を許可する逆止弁手段を形成したものにおいて、この逆止弁手段に外部から少なくとも水がかかることを防止するカバーを取り付けたことを特徴とする薬液分配装置。
【発明の詳細な説明】
【技術分野】
【０００１】
本発明は、水洗トイレのフラッシュタンク等の水槽内にセットされ、水槽内の水に定期的に洗浄剤などの薬液を分配する薬液分配装置に関する。
【背景技術】
【０００２】
水洗トイレの水槽に貯水された水は、用を足す毎に便器側に流され、便器の内面全体に沿って流れる。そこで、水槽内の水に洗浄剤などの薬液を定期的に定量づつ分配し、水を流す毎に便器を洗浄するための薬液分配装置が多数提案されている。
【０００３】
例えば、下方に開口する有底筒状の本体部を、水槽内の水が排水された状態で下端の開口が水面より上方に位置するように水槽内にセットすると共に、水槽の外部に薬液を貯水する薬液タンクを取り付け、本体部の上部に一端が開口し他端が薬液タンクの薬液中に水没する吸液管を設け、さらに本体部の上面に、本体内の空気を外部へ放出する逆止弁を取り付けたものが知られている（例えば、特許文献１参照）。
【０００４】
このものでは、水槽に水が注水され水位が上昇すると、本体部の下端の開口から水が本体内に入り本体内の空気を逆止弁を介して外部に放出させながら、本体部内の水位も上昇する。水槽内の水を排水すると水槽内の水面が下降し、本体部内の水位も下降しようとする。ところが、逆止弁の作用で本体部内に外部から空気を吸引することができないので、本体部内の上部空間部分は負圧になる。すると、吸液管を介して薬液タンク内の薬液が本体部内に吸い込まれる。吸い込まれた薬液は本体内を落下して本体内の水に滴下する。本体部の外部の水位が本体部の下端の開口よりも下がると、開口から空気が本体部内に流れ込み、吸液管を介しての薬液の吸い込みが停止される。そして、この動作は、水槽への吸水および排水毎に定期的に繰り返され、その都度ほぼ一定量の薬液が薬液タンクから本体部側へ吸い出される。
【０００５】
また、下方に開口するカップ状の容器内に、水がかかるとその部分が溶解して薬液を生成する薬剤を保持すると共に、このカップ状の容器の下端近傍に開口する貯水タンク部を、容器の上部に位置するように容器と一体に設け、これら容器と貯水タンク部とを水槽内に完全に水没するように取り付けるようにしたものが記載されている（例えば、特許文献２参照）。
【０００６】
このものでは、貯水タンクに空気抜き穴が設けられており、水槽内の水位が上昇すると、カップ状の容器内には水が侵入せず、そのため薬剤は水没しないが、貯水タンクには空気抜き穴から空気が押し出されて水が充填される。そして、水槽内の水が排水されて水位が低下すると貯水タンク部内の水が重力の作用で開口から容器内へ噴出する。その噴出した水が薬剤にかかるように開口の位置および開口方向を設定しておくことにより、薬剤の一部が溶解して薬液が水槽内に滴下される。
【特許文献１】実開平６−３０２８４号公報（図１から図４）
【特許文献２】特開昭６２−２４８７２５号公報（第５図から第８図）
【発明の開示】
【発明が解決しようとする課題】
【０００７】
上記従来のものの不具合を改善すべく、既に特願２００５−２２０８６５号として、水洗トイレその他の水槽内に取り付けられ、水槽内に定期的に薬液を分配する薬液分配装置において、下方に開口する有底筒状の装置本体を備え、この装置本体の内部であって、下端の開口から所定の高さに、薬剤を載置保持する薬剤保持部を設けると共に、一端が薬剤保持部より上方位置であって装置本体の内側に向かって開口し、下端が装置本体の外側であって装置本体の下端より上方に位置するパイプ状の吸水通路部を備え、装置本体内の水位低下に伴って吸水通路部内の水が薬剤保持部の上面に吸い上げられ、その水に薬剤が溶け込んだ薬液を薬剤保持部の下方に滴下する滴下口を形成し、かつ装置本体上部に、装置本体内の空気の外部方向への放出を許可する逆止弁手段を形成したことを特徴とする薬液分配装置を手段した。
【０００８】
ところが、この逆止弁手段に外部から水などがかかると逆止弁手段が正常に機能しなくなるおそれがある。逆止弁機能が正常に機能しないと、装置本体内に水を吸い込むことができず、薬液を生成することができない。
【０００９】
そこで本発明は、上記の問題点に鑑み、上述の不具合を解消し、安定して薬液を水槽内に配分することをのできる薬液分配装置を提供することを課題とする。
【課題を解決するための手段】
【００１０】
上記課題を解決するために本発明による薬液分配装置は、水洗トイレその他の水槽内に取り付けられ、水槽内に定期的に薬液を分配する薬液分配装置であって、下方に開口する有底筒状の装置本体を備え、この装置本体の内部であって、下端の開口から所定の高さに、薬剤を載置保持する薬剤保持部を設けると共に、一端が薬剤保持部より上方位置であって装置本体の内側に向かって開口し、下端が装置本体の外側であって装置本体の下端より上方に位置するパイプ状の吸水通路部を備え、装置本体内の水位低下に伴って吸水通路部内の水が薬剤保持部の上面に吸い上げられ、その水に薬剤が溶け込んだ薬液を薬剤保持部の下方に滴下する滴下口を形成し、かつ装置本体上部に、装置本体内の空気の外部方向への放出を許可する逆止弁手段を形成したものにおいて、この逆止弁手段に外部から少なくとも水がかかることを防止するカバーを取り付けたことを特徴とする。
【００１１】
上記構成では、水槽内の水を排出すると水槽内の水面が吸水通路部の下端位置まで下降するまでは装置本体および吸水通路部内の水は移動することができず、高水位のまま保持される。水槽内の水位が吸水通路部の下端より下方になると、吸水通路部の下端の開口が空気中に露出するので、吸水通路部の下端の開口から空気を吸い込みながら、装置本体部内の水が一気に下降する。吸水通路部内に充満していた水は吸水通路の下端開口から吸引される空気と共に装置本体内へと吸い込まれる。その吸い込まれた水は薬剤保持部上に拡がるので、薬剤の下面に浸透し溶液が生成される。そしてその溶液は滴下口を通って水槽内の水に滴下される。
【００１２】
ところで、上記逆止弁手段に水などがかかると逆止弁手段が正常に機能しない場合が生じるおそれがある。逆止弁手段が機能しないと水を吸い込むことができなくなるので、逆止弁手段に水がかからないようにする必要がある。
【発明の効果】
【００１３】
以上の説明から明らかなように、本発明は、逆止弁手段に水がかからないようにカバーを設けたので、逆止弁手段が常に正常に機能し、水を吸い込んで薬剤が溶けた溶液を安定して生成することができる。
【発明を実施するための最良の形態】
【００１４】
図１および図２を参照して、１は本発明による薬液分配装置である。本薬液分配装置１は筒状の装置本体２を備えている。またこの装置本体２の上端部分は蓋体４が着脱自在に取り付けられており、蓋体４が取り付けられた状態で装置本体２は有底筒状体となる。
【００１５】
この装置本体２は外面に取り付け用のフック１１を備えており、このフック１１を水洗トイレの水槽であるフラッシュタンクＴの周壁に引っかけることによりフラッシュタンクＴ内にセットされる。なお、装置本体２の開口２１が下方に向かって開口するように取り付けられる。
【００１６】
装置本体２の内部には、上下方向の中間位置よりも上方に位置して水平な薬剤保持部６が設けられている。この薬剤保持部６の上面には環状の位置決め部６１が形成されている。また、この位置決め部６１の内外に位置して複数の滴下口６２が形成されている。本実施の形態では、位置決め部６１内に金網７をセットし、その金網７の上に薬剤８を載置した。
【００１７】
この金網７は薬剤保持部６の上面と薬剤８の下面との間に均等に空間を確保するためのものであり、後述するように薬剤保持部６の上面に水が吸い込まれた際に、その水が薬剤８の下面全体に均等に行き渡るようにするためのものである。
【００１８】
装置本体２の側壁には、薬剤保持部６の上方に開口する噴出口３１が形成されている。この噴出口３１は装置本体２の外部に取り付けたパイプ状の吸水通路管３に接続されている。この吸水通路管３の下端の開口３２は装置本体２の開口２１よりも上方に位置するように設定されている。
【００１９】
ところで、位置決め部６１の一部であって噴出口３１に対向する部分はガード部６３として機能し、噴出口３１から噴出する水が薬剤８の側面にかからないようにする。また、このガード部６３と薬剤保持部６の上面との間には通水窓６４が形成されており、噴出口３１から噴出されガード部６３にぶつかった水はこの通水窓６４を通って薬剤８の下面全体に拡がる。
【００２０】
上記蓋体４には逆止弁５が取り付けられている。図３を参照して、この逆止弁５は、蓋体４に形成された空気抜き穴４１に取り付けられており、空気抜き穴４１を上方から覆うことのできる弁体部５１と、弁体部５１の下面中央から下方に延びる軸部５２と、軸部５２の下端に形成された抜け止め部５３とか構成されている。なお、この軸部５２と空気抜き穴４１との間には隙間が確保されており、蓋体４を装置本体２の上部に取り付けた状態で、装置本体２の内部の圧力が周囲より高くなると、装置本体２内の空気が空気抜き穴４１を通って弁体部５１を押し上げて、外部に放出できる。逆に装置本体２内の圧力が周囲より低くなると弁体部５１が空気抜き穴４１を閉鎖して、外部から装置本体２内へ空気が吸い込まれないように作用する。
【００２１】
ところで、蓋４は図示のように四角形に形成するほか、図４に示すように円形に形成して、装置本体２の上端外周にネジ部を形成して蓋４の内側の雌ねじ部を螺合させるようにしてもよい。なお、上述の逆止弁５は非常に軽量に形成しているので、蓋４の上面に水や埃が付着すると蓋４に逆止弁５が付着し、逆止弁５が機能しなくなるおそれが生じる。そこで、図４に示すように透明なカバー４２を蓋４に被せるようにすることが望ましい。蓋４の外周面には蓋４を回転させる際の滑り止めとして突起４ａが形成されており、各突起４ａに挟まれた谷部４ｂが、カバー４２を装着した状態での空気通路となる。
【００２２】
上記構成で、水槽Ｔに水が注水される状態を図５を参照して説明する。水槽Ｔの水位は、排水された直後はＬＶ１１にある。その状態から注水が行われると、水位が吸水通路管３の開口３２と同じ高さＬＶ１２に達するまでは、装置本体２へは開口２１から水が流入し、水面上昇に伴って装置本体２内の空気は吸水通路管３を通って開口３２から排気される。水槽Ｔ内の水位がＬＶ１２より高くなると、装置本体２内の空気は逆止弁５が開弁することにより排気される。そして、水槽Ｔ内の水位が満水状態の水位ＬＶ１３に到達すると、水槽Ｔへの注水が自動的に停止される。その状態では装置本体２内の水位および吸水通路管３内の水位は共にＬＶ１３とほぼ同じである。
【００２３】
図６および図７を参照して、水槽Ｔからの排水が開始されると水槽Ｔ内の水位は下降する。水槽Ｔ内の水位がＬＶ１２まで下降するまでは開口３２は水没したままであるので、装置本体２や吸水通路管３内に空気が侵入することができず、装置本体２内の水面Ｓ１および吸水通路管３内の水面Ｓ２は共にＬＶ１３のまま変動しない。
【００２４】
水槽Ｔ内の水位がＬＶ１２より更に下降すると吸水通路管３の開口３２が水面から出て空気中に開放される。すると、装置本体２内の水面Ｓ１は急速に下降し、その下降に伴って吸水通路管３内の水が勢いよく装置本体２に吸い込まれる。そのため、その吸い込まれた水は噴出口３１から噴出してガード部６３に当たる。当たった水は薬剤保持部６上に落ち、通水窓６４を通って薬剤８の下面に到達し、薬剤８を溶解させる。そしてその溶解によって生成された薬液が滴下口６２から滴下され水槽Ｔ内に分配される。
【００２５】
ところで上記実施に形態では図示しなかったが、薬剤８の近傍に芳香剤をセットする空間を確保し、あるいは蓋体４の下面に芳香剤をセットするようにしてもよい。上述のように水槽Ｔ内の水位が上昇および下降すると、本体内の空気が排出され、また再び吸引されるので、装置本体２内の空気が換気される。上述のように芳香剤をセットしておけば、香り成分を含んだ空気を装置本体２から放出させることができる。
【００２６】
なお、上述の実施の形態のほかに、例えば図８および図９に示す形態を採用してもよい。この実施の形態では、上記装置本体２を上下に分割し、本体下部２ａと本体上部２ｂとで装置本体を接着して形成するようにした。この本体下部２ａの上端部分に薬剤保持部６を形成し、位置決め部６１の外側に滴下口６２を形成した。位置決め部６１は途中で分割されており、その分割部分を通って位置決め部６１の内側から外側に向かって薬液が流れるようにした。
【００２７】
位置決め部６１の内側に、複数の突起６５を薬剤保持部６に一体に形成した。薬剤８はこれら複数の突起６５に支持されることにより薬剤保持部６の上面と薬剤８の下面との間に空間が形成される。そして、噴出口３１は上方に向かって開口させ、噴出口３１の下方から吸水通路管３を差し込んで取り付けるようにした。
【００２８】
本体上部２ｂには、この噴出口３１の上方に位置して袋状の空間２２が形成されており、噴出口３１から本体上部２ｂ内に噴出した水は一旦この空間２２内に入る。そして、その水は空間２２の下部流出口２３から薬剤保持部６の上面へと流れ出るようにした。なお、本実施の形態ではゴム製の薄膜を逆止弁５ａとして用いた。
【００２９】
ところで、上記各実施の形態共にフラッシュタンクＴに取り付ける際、フラッシュタンクＴの水位がもっとも上昇した際に薬剤８が水没しない位置に固定する必要がある。そこで、装置本体２や装置下部２ａの外周にフロートを取り付け、フラッシュタンクＴに固定することなく、水面が上昇すると装置も上昇するようにして、薬剤８が水没しないようにしてもよい。ただし、そのように構成する場合には、排水により水面が下降すると装置を所定の高さより下降させないように、紐などの可撓性を有するもので装置をフラッシュタンクＴの上端から吊り下げればよい。
【００３０】
なお、本発明は上記した形態に限定されるものではなく、本発明の要旨を逸脱しない範囲内において種々の変更を加えてもかまわない。例えば、図１０に示すように、吸水通路管３を２本、もしくはそれ以上の本数を設けてもよい。このように、吸水通路管３を複数本設けると、フラッシュタンクＴの満水時の水面が低く、排水した際に吸水通路管３の１本あたりの吸水量が少なくても必要な量の水量をトータルとして吸い上げることができる。また、吸水量を増加させたい場合に、吸水通路管３を太くすると、吸水途中で水が戻ってうまく吸水できない場合が生じるが、吸水通路管３の本数を増加させれば、このような不具合を生じさせることなく吸水量を増加させることができる。
【００３１】
上記図４では蓋４にカバー４２を被せることにより蓋４に水や埃がかからないようにしたが、図１１に示すように、蓋４の上面中央に１段高い段部４３を形成し、その段部４３に逆止弁５を取り付けて、蓋４の上面の水が逆止弁５に直接接触しないようにしてもよい。また、さらにその段部４３にカバー４４を取り付けて、水や埃が逆止弁５に確実にかからないようにすることが望ましい。なお、段部４３に切欠き４３ａを形成し、かつカバー４４に切欠き４４ａを形成して、カバー４４が段部４３に取り付けられた状態でカバー４４の内部が密閉されないようにした。
【００３２】
なお、薬剤８に吹き付けられるタンク内の水の温度によって溶解量が変動する。すなわち、水温が比較的夏場では溶解量が増加し、逆に冬場には溶解量が減少する。そこで、図１２に示す流量調節部材を取り付けた。この流量調節部材は吸水通路管３に装着され、吸水通路管３に沿って上下に移動させることのできる本体部９と、この本体部９に固定されたＵ字棒９１とから構成される。Ｕ字棒９１の先端は吸水通路管３の下端の開口３２から給水通路管３の内部３０内に挿入されている。そして、Ｕ字棒３２の直径は給水通路管３の内壁との間に所定の隙間が形成されるように細く形成されている。
【００３３】
図示のように、Ｕ字棒９１の挿入量が比較的少ない状態では多くの水が給水通路管３内に吸引される。本体部９を上方に移動させＵ字棒９１の挿入量を多くすると、給水通路管３への水の吸入量が減少する。このように本体部９を上下させることにより吸入量を増減させることができるので、季節に応じて本体部９の位置を調節することが望ましい。
【００３４】
ところで、本実施の形態では狭義の固形の薬剤８を用いた例について示したが、特開２００５−６１１２９号公報に記載されているような、内部に濃縮された薬液を充填したカートリッジを広義の薬剤として、薬剤保持部６に載置して用いてもよい。また、上記実施の形態では薬剤保持部６を水平にしたが、例えば５度程度傾斜させて薬剤保持部６の上面に水はけをよくしてもよい。
【図面の簡単な説明】
【００３５】
【図１】本発明の一実施の形態の構成を示す図
【図２】本装置の構造を示す破断斜視図
【図３】逆止弁の構造を示す図
【図４】蓋に装着するカバーを示す図
【図５】水位上昇時の過程を示す図
【図６】水位下降時の途中経過を示す図
【図７】薬液滴下状態を示す図
【図８】他の実施の形態での薬剤保持部を示す図
【図９】その構成を示す断面図
【図１０】他の実施の形態における構造を示す破断斜視図
【図１１】蓋の他の形態を示す図
【図１２】吸水量を調節する機構を示す図
【符号の説明】
【００３６】
１  薬液分配装置
２  装置本体
３  吸水通路管
４  蓋体
５  逆止弁
６  薬剤保持部
７  金網
８  薬剤
６５  突起
【図１】
2008013946.tif 000003
【図２】
2008013946.tif 000004
【図３】
2008013946.tif 000005
【図４】
2008013946.tif 000006
【図５】
2008013946.tif 000007
【図６】
2008013946.tif 000008
【図７】
2008013946.tif 000009
【図８】
2008013946.tif 000010
【図９】
2008013946.tif 000011
【図１０】
2008013946.tif 000012
【図１１】
2008013946.tif 000013
【図１２】
2008013946.tif 000014